(57)【要約】【課題】  ガード部材を備えた寝具をソファとしての形態に切換えることができるソファ兼用寝具を提供する。【解決手段】  ソファ兼用寝具１は、マットレス１０と、このマットレス１０の全周を取り囲む上下開放の筒型のガード部材３０とを備える。マットレス１０は、その上面同士を当接させるように２つ折り可能な頭側マットレス部１１と足側マットレス部１２とからなる。ガード部材３０は、その上面同士を当接させるようにマットレス１０と同方向に２つ折り可能な頭側ガード部３１と足側ガード部３２とからなる。マットレス１０およびガード部材３０を延ばすとベッドの形態となり、それらを２つ折りにするとソファの形態となる。２つ折りにしたガード部材３０は、１対の肘掛け部および背もたれ部を形成する。【選択図】      図１
2005177319.tif 000002
【特許請求の範囲】
【請求項１】
その上面同士を当接させるように２つ折り可能なマットレスと、
前記マットレスの全周を取り囲み、その上面同士を当接させるように前記マットレスと同方向に２つ折り可能なガード部材とを備え、
前記マットレスおよび前記ガード部材を延ばすとベッドの形態となり、前記マットレスおよび前記ガード部材を２つ折りにするとソファの形態となる、ソファ兼用寝具。
【請求項２】
前記マットレスおよび前記ガード部材の２つ折り箇所は、その頭側端部および足側端部から等距離にある中間位置である、請求項１に記載のソファ兼用寝具。
【請求項３】
前記マットレスおよび前記ガード部材は、その上面部に２つ折りのためのヒンジ部を有している、請求項１または２に記載のソファ兼用寝具。
【請求項４】
前記マットレスの上面は、その頭側から足側に向かって下降する傾斜面を有している、請求項１〜３のいずれかに記載のソファ兼用寝具。
【請求項５】
前記マットレスの頭側領域および足側領域は、対称的な半円形状を有しており、
前記ガード部材の頭側領域および足側領域は、前記マットレスの形状に沿うように、対称的な半円形状を有している、請求項１〜４のいずれかに記載のソファ兼用寝具。
【発明の詳細な説明】
【技術分野】
【０００１】
この発明は、ベッド、マットレス等の寝具として使用できるとともに、ソファとしての使用も可能なソファ兼用寝具に関するものである。
【背景技術】
【０００２】
ソファ兼用寝具を開示している先行技術として、例えば特開２００３−３３９４７９号公報（特許文献１）や、特開２００２−１２５７８８号公報（特許文献２）がある。
【０００３】
特開２００３−３３９４７９号公報に開示されたソファ兼用マットレスは、４個の小マットを並設して寝心地の良好な平らなマットレスを形成するものであり、ソファとして使用するときには３個のマットを上下に積み重ねて座部を形成し、かつ１個のマットを立てて背もたれ部として使用している。この公報に開示されたソファ兼用マットレスの場合、ソファの形態のときに肘掛け部に相当する部分が存在しない。
【０００４】
特開２００２−１２５７８８号公報に開示されたマットレス兼用安楽座椅子は、平らなマットレスタイプのベッドを折畳んで肘掛け付きの安楽椅子に変形し得るように構成している。具体的には、マットレスを２つ折りして重ね合わせることができるようにした２つの単位体で構成し、一方の単位体を３個の部分からなる内部部材とＵ字状の外郭部材とに分割形成している。安楽座椅子として使用するときには、他方の単位体が座部を形成し、一方の単位体の内部部材が背もたれ部を形成し、外郭部材が肘掛け部を形成する。
【０００５】
上記の特開２００３−３３９４７９号公報や特開２００２ー１２５７８８号公報に開示された寝具は、主として、成人を対象にしているものである。近年、外国でも親と子とが「川の字」になって一つのベッドで寝る、いわゆるベッドシェアリングが見直されている。そのような記事が、例えば、下記の非特許文献１に記載されている。
【０００６】
近年、上記のようにベッドシェアリングが見直されてきたが、一方で乳児が親と一緒に寝ると次のような点に注意しなければならない。すなわち、大人用のベッド（マットレス）は柔らかすぎるので、乳児が窒息しないようにしなければならない。また、親の寝返りによって乳児が押しつぶされないようにしなければならない。
【０００７】
大人のベッド上に載せられる乳児用マットレスは、上記の点を考慮する必要がある。乳児用マットレスの場合、乳児が成長して身体が大きくなった後には不要となる場合が多い。そこで、乳児の時に使用していたマットレスを成長後にソファとして使用できるようにすることが望ましい。
【特許文献１】特開２００３−３３９４７９号公報
【特許文献２】特開２００２−１２５７８８号公報
【非特許文献１】「ニューズウイーク  日本版特別編集  新・０歳からの健康」、阪急コミュニケーションズ発行、２００３年７月２９日、７頁
【発明の開示】
【発明が解決しようとする課題】
【０００８】
従来からソファ兼用寝具が多く提案されているが、それらは主として成人を対象とするものである。乳児用寝具の場合、安全面を考慮すると、マットレスの周囲を取り囲むガード部材を設けているのが望ましい。本願発明者の知る限りでは、このようなガード部材付きの乳児用寝具をソファとして使用できるようにしたものはない。
【０００９】
この発明は、ガード部材を備えた寝具をソファとしての形態に切換えることができるソファ兼用寝具を提供することである。
【００１０】
この発明の他の目的は、特に乳児が使用するのに適したソファ兼用寝具を提供することである。
【課題を解決するための手段】
【００１１】
この発明に従ったソファ兼用寝具は、その上面同士を当接させるように２つ折り可能なマットレスと、このマットレスの全周を取り囲み、その上面同士を当接させるようにマットレスと同方向に２つ折り可能なガード部材とを備える。マットレスおよびガード部材を延ばすとベッドの形態となり、マットレスおよびガード部材を２つ折りにするとソファの形態となる。
【００１２】
上記構成の本発明によれば、ベッドの形態のときにガード部材がマットレスの全周を取り囲んでいるので、特に乳児用寝具として使用するときに安全上好ましい。また、マットレスのみならずガード部材も２つ折り可能であり、このガード部材が上下に重なって背もたれ部および肘掛け部を形成するものであるので、その構造が非常に簡単である。
【００１３】
一つの実施形態では、マットレスおよびガード部材の２つ折り箇所は、その頭側端部および足側端部から等距離にある中間位置である。また、ベッドの形態からソファの形態に簡単に切換えることができるようにするために、好ましくは、マットレスおよびガード部材は、その上面部に２つ折りのためのヒンジ部を有している。
【００１４】
乳児用寝具として適するようにするために、好ましくは、マットレスの上面は、その頭側から足側に向かって下降する傾斜面を有している。このように頭側の領域を足側の領域よりも高くすると、乳児がミルクを飲んだ後のげっぷを出させやすくなる。
【００１５】
一つの実施形態では、マットレスの頭側領域および足側領域は、対称的な半円形状を有しており、またガード部材の頭側領域および足側領域は、マットレスの形状に沿うように、対称的な半円形状を有している。
【発明を実施するための最良の形態】
【００１６】
図１〜図１０は、この発明の一実施形態である乳児用のソファ兼用寝具１を示している。図１〜図３はベッドの形態を示し、図８〜図１０はソファの形態を示している。また、図４および図５はマットレス１０を示し、図６および図７はガード部材３０を示している。
【００１７】
図示するように、ソファ兼用寝具１は、マットレス１０と、このマットレス１０の全周を取り囲むガード部材３０とを備える。図示した実施形態では、ガード部材３０は、上下開放の筒型の形状をしている。
【００１８】
図４および図５に示すマットレス１０は、その上面同士を当接させるように２つ折り可能な頭側マットレス部１１と足側マットレス部１２とからなる。図示した実施形態では、頭側マットレス部１１と足側マットレス部１２との２つ折り箇所は、その頭側端部および足側端部から等距離にある中間位置となっている。この中間位置にあるマットレス１０の上面部分が２つ折りのためのヒンジ部１３を形成している。
【００１９】
マットレス１０は、単体で、大人のベッド上に置かれるシェアリングマットレスとして使用することが可能である。シェアリングマットレスとしての使用に適するようにするために、マットレス１０は、所定の厚みを有して延在し、その頭側領域および足側領域が対称的な半円形状を有している。また、図５に示すように、マットレスの１０の上面は、その頭側から足側に向かって下降する傾斜面を有している。
【００２０】
さらに、マットレス１０は、乳児の体温を適切に保持できるようにするために、その全面に多数の貫通穴１４を有している。マットレス１０は、その下に位置する大人のマットレスより硬い材質のもので構成するようにしてもよい。
【００２１】
マットレス１０をシェアリングマットレスとして使用するとき、親は、片手で半円形状の頭側領域に手を回してマットレス１０を抱え込み、乳児をあやすことができる。また、マットレス１０がある程度の硬さで所定の高さを有するため、親が寝返り等をうってマットレス１０に当接するようなことがあっても、マットレス１０の段差によりマットレス１０上に乗り上げることが阻止され、乳児の上に覆いかぶさるようなことを防止できる。
【００２２】
さらに、マットレス１０の上面は、その頭側から足側に向かって下降する傾斜面を有しているので、乳児がミルクを飲んだ後のげっぷを出させやすくする。
【００２３】
図６および図７に示すガード部材３０は、その上面同士を当接させるようにマットレス１０と同方向に２つ折り可能な頭側ガード部３１と足側ガード部３２とからなる。図示した実施形態では、頭側ガード部３１と足側ガード部３２との２つ折り箇所は、その頭側端部および足側端部から等距離にある中間位置となっている。この中間位置にあるガード部材３０の上面部分が２つ折りのためのヒンジ部３３を形成している。
【００２４】
図６に示すように、ガード部材３０の頭側領域および足側領域は、マットレス１０の形状に沿うように、対称的な半円形状を有している。
【００２５】
図１〜図３に示すように、ソファ兼用寝具１をベッドの形態とするときには、マットレス１０およびガード部材３０を延ばす。ベッドの形態では、ガード部材３０がマットレス１０の全周を取り囲んでいるので、安全上好ましいものとなる。
【００２６】
図８〜図１０に示すように、ソファ兼用寝具１をソファの形態とするときには、マットレス１０およびガード部材３０を２つ折りにする。足側マットレス部１２は頭側マットレス部１１の上に重なり、座部を形成する。また、足側ガード部３２は頭側ガード部３１の上に重なり、１対の肘掛け部および背もたれ部を形成する。
【００２７】
乳児を持つ母親や父親が、必要に応じて、ソファ兼用寝具１をソファの形態にして使用してもよいし、乳児が成長して年少者や大人になったときにソファ兼用寝具１を常時ソファとして使用するようにしてもよい。
【００２８】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。そのいくつかを例示的に列挙して説明する。
【００２９】
（１）ソファ兼用寝具の対象は、乳児に限られず、年少者や成人にも広がる。
【００３０】
（２）マットレスの上面を傾斜面にせずに、平らな面にしてもよい。
【００３１】
（３）図示した実施形態では、マットレスおよびガード部材の頭側領域および足側領域を対称的な半円形状としたが、他の実施形態として、両者の上方から見た輪郭を四角形にしてもよい。
【産業上の利用可能性】
【００３２】
この発明は、ソファ兼用寝具に適用可能であり、特に乳児用の寝具として有利に利用され得る。
【図面の簡単な説明】
【００３３】
【図１】ベッドの形態になっているソファ兼用寝具を示す斜視図である。
【図２】ベッドの形態になっているソファ兼用寝具を示す平面図である。
【図３】図２の線Ａ−Ａに沿って見た断面図である。
【図４】マットレスを示す平面図である。
【図５】マットレスを示す側面図である。
【図６】ガード部材を示す平面図である。
【図７】ガード部材を示す側面図である。
【図８】ソファの形態になっているソファ兼用寝具を示す平面図である。
【図９】図８の線Ｂ−Ｂに沿って見た断面図である。
【図１０】ソファの形態になっているソファ兼用寝具を示す斜視図である。
【符号の説明】
【００３４】
１  ソファ兼用寝具、１０  マットレス、１１  頭側マットレス部、１２  足側マットレス部、１３  ヒンジ部、１４  通気穴、３０  ガード部材、３１  頭側ガード部、３２  足側ガード部、３３  ヒンジ部。
【図１】
2005177319.tif 000003
【図２】
2005177319.tif 000004
【図３】
2005177319.tif 000005
【図４】
2005177319.tif 000006
【図５】
2005177319.tif 000007
【図６】
2005177319.tif 000008
【図７】
2005177319.tif 000009
【図８】
2005177319.tif 000010
【図９】
2005177319.tif 000011
【図１０】
2005177319.tif 000012